(57)【要約】【課題】全体構造を簡単化する。【解決手段】戸枠１０と、戸枠１０の戸尻側の縦枠１２に水平揺動可能に連結する戸袋体２０と、閉じ姿勢の戸袋体２０に出没するように直線移動させる引戸３０とを設け、引戸３０は、ガイドレール１４上の吊車３２から戸先側を吊下し、戸尻側の戸車３３と、振れ止め用のガイドローラ３４とを有し、開放限において、下端戸先側の補助ローラ３６を介して吊車３２から分離可能に戸先側を上昇させる。【選択図】図１
2014031701.tif 000002
【特許請求の範囲】
【請求項１】
建物の開口部に装着する戸枠と、該戸枠の戸尻側の縦枠に水平揺動可能に連結し、前記戸枠と平行な閉じ姿勢において前記戸枠の戸尻側半部を閉じる戸袋体と、閉じ姿勢の前記戸袋体に出没するように直線移動させて前記戸枠の戸先側半部を開閉する引戸とを備えてなり、該引戸は、前記戸枠の上枠に設けるガイドレール上の吊車から戸先側を吊下するとともに、前記戸袋体の下端のレール上を走行して戸尻側を支持する戸車と、前記戸袋体の上端のガイド材に係合して戸尻側を振れ止めするガイドローラとを有し、前記引戸の開放限において下端戸先側の補助ローラが前記戸袋体の下端戸先側のブロック体に乗り上げると、前記吊車側の係合部材に連結中の前記引戸側の係合部材が分離可能に上昇することを特徴とする引戸装置。
【請求項２】
前記吊車側、引戸側の係合部材は、前記引戸に搭載する上げ落し金物を介して分離不能にロックすることを特徴とする請求項１記載の引戸装置。
【請求項３】
前記引戸は、前記上げ落し金物に連動する拘束部材を介し、前記上げ落し金物により前記係合部材が分離可能に解放されると同時に前記戸袋体内に拘束することを特徴とする請求項２記載の引戸装置。
【請求項４】
前記吊車側、引戸側の係合部材は、前記引戸に搭載するロックユニットの昇降ロッドを介して分離不能にロックし、前記戸袋体は、該戸袋体に搭載するラッチユニットのラッチロッドを介して閉じ姿勢に拘束することを特徴とする請求項１記載の引戸装置。
【請求項５】
前記ロックユニットは、前記引戸の開放限において、前記ラッチロッドに連動して前記係合部材を分離可能に解放することを特徴とする請求項４記載の引戸装置。
【請求項６】
前記引戸には、該引戸が開放限にあるときにのみ、前記ラッチロッドによる前記戸袋体の拘束の解除動作を許容する第１の規制部材を搭載することを特徴とする請求項４または請求項５記載の引戸装置。
【請求項７】
前記引戸は、前記ラッチロッドによる前記戸袋体の拘束が解除されると、前記第１の規制部材を介して前記戸袋体内に拘束することを特徴とする請求項６記載の引戸装置。
【請求項８】
前記戸袋体には、該戸袋体が閉じ姿勢にあるときにのみ前記ラッチロッドによる前記戸袋体の拘束動作を許容する第２の規制部材を搭載することを特徴とする請求項４ないし請求項７のいずれか記載の引戸装置。
【請求項９】
前記引戸は、前記戸車の浮き上り防止用の規制ローラを上端戸尻側に付設することを特徴とする請求項１ないし請求項８のいずれか記載の引戸装置。
【請求項１０】
前記上枠には、前記引戸を開放限に停止させるストッパを配置することを特徴とする請求項１ないし請求項９のいずれか記載の引戸装置。
【発明の詳細な説明】
【技術分野】
【０００１】
この発明は、必要に応じて建物の開口部を全面開放することができる引戸装置に関する。
【背景技術】
【０００２】
建物の開口部の片側に水平揺動可能に連結する戸袋体と、戸袋体に出没させるようにして直線移動させる吊戸形式の引戸とを組み合わせる引戸装置が知られている（たとえば特許文献１）。
【０００３】
従来の引戸装置は、吊戸形式の引戸を戸袋体に収納して戸袋体を水平揺動させることにより、開口部を全面開放させることができ、開口部以外の壁面に戸袋を設ける必要がない。すなわち、前後の吊車によって水平の上部バーを戸袋体の上方に吊下し、上部バーの戸先側下面の前後２箇所を引戸の戸先側に連結し、引戸の戸尻側は、戸袋体の内部に配置する水平レールに対して引戸の戸尻側の支持ローラを係合させるとともに、引戸の側面に付設する水平レールに対して戸袋体の内部戸先側の支持ローラを係合させて支持している。引戸を戸袋体に出没させると、戸袋体の内部の２個の支持ローラによる支持点が相対移動するため、引戸の開放限において引戸の戸先側を吊下する吊下荷重を実質的に無くし、引戸の戸先側を上部バーから簡単に切り離して引戸と一体に戸袋体を揺動させるとともに、引戸を戸袋体に安定に出没させることができる。
【先行技術文献】
【特許文献】
【０００４】
【特許文献１】特開２０１０−２４８０６号公報
【発明の概要】
【発明が解決しようとする課題】
【０００５】
かかる従来技術によるときは、引戸は、戸先側、戸尻側の吊車と上部バーとを介して戸先側の２箇所を吊下するとともに、戸袋体内に２組の水平レール、支持ローラを配備するから、全体構造が極めて複雑であるという問題があった。
【０００６】
そこで、この発明の目的は、かかる従来技術の問題に鑑み、引戸に対し、戸先側の吊車、戸尻側の戸車、上端戸尻側の振れ止め用のガイドローラと、下端戸先側の補助ローラとを設けることによって、全体構造を大幅に簡単化することができる引戸装置を提供することにある。
【課題を解決するための手段】
【０００７】
かかる目的を達成するためのこの発明の構成は、建物の開口部に装着する戸枠と、戸枠の戸尻側の縦枠に水平揺動可能に連結し、戸枠と平行な閉じ姿勢において戸枠の戸尻側半部を閉じる戸袋体と、閉じ姿勢の戸袋体に出没するように直線移動させて戸枠の戸先側半部を開閉する引戸とを備えてなり、引戸は、戸枠の上枠に設けるガイドレール上の吊車から戸先側を吊下するとともに、戸袋体の下端のレール上を走行して戸尻側を支持する戸車と、戸袋体の上端のガイド材に係合して戸尻側を振れ止めするガイドローラとを有し、引戸の開放限において下端戸先側の補助ローラが戸袋体の下端戸先側のブロック体に乗り上げると、吊車側の係合部材に連結中の引戸側の係合部材が分離可能に上昇することをその要旨とする。
【０００８】
なお、吊車側、引戸側の係合部材は、引戸に搭載する上げ落し金物を介して分離不能にロックすることができ、引戸は、上げ落し金物に連動する拘束部材を介し、上げ落し金物により係合部材が分離可能に解放されると同時に戸袋体内に拘束することができる。
【０００９】
また、吊車側、引戸側の係合部材は、引戸に搭載するロックユニットの昇降ロッドを介して分離不能にロックし、戸袋体は、戸袋体に搭載するラッチユニットのラッチロッドを介して閉じ姿勢に拘束してもよく、ロックユニットは、引戸の開放限において、ラッチロッドに連動して係合部材を分離可能に解放してもよく、引戸には、引戸が開放限にあるときにのみ、ラッチロッドによる戸袋体の拘束の解除動作を許容する第１の規制部材を搭載してもよく、引戸は、ラッチロッドによる戸袋体の拘束が解除されると、第１の規制部材を介して戸袋体内に拘束してもよく、戸袋体には、戸袋体が閉じ姿勢にあるときにのみラッチロッドによる戸袋体の拘束動作を許容する第２の規制部材を搭載してもよい。
【００１０】
なお、引戸は、戸車の浮き上り防止用の規制ローラを上端戸尻側に付設してもよく、上枠には、引戸を開放限に停止させるストッパを配置してもよい。
【発明の効果】
【００１１】
かかる発明の構成によるときは、引戸は、戸先側の吊車、戸尻側の戸車と、振れ止め用のガイドローラとを介して安定に直線移動させ、戸枠と平行な閉じ姿勢の戸袋体に出没させて戸枠の戸先側半部を開閉することができる。また、戸袋体は、開放限の引戸を収納したまま、引戸と一体に開き姿勢に水平揺動させることにより、戸枠内を全面開放することができる。一方、引戸は、開放限において、下端戸先側の補助ローラが戸袋体の下端戸先側のブロック体に乗り上げ、吊車側の係合部材に連結中の引戸側の係合部材が分離可能に上昇するため、戸袋体を水平揺動させることにより、戸先側を吊車から自動的に切り離して戸袋体の揺動を許容することができる。
【００１２】
なお、補助ローラは、引戸の下端戸尻側の戸車と同形式の戸車としてもよいが、戸袋体側のブロック体に円滑に乗り上げて引戸の戸先側を上昇させることができる限り、単純な円形ローラであってもよい。また、引戸の戸先側を吊車に連結する吊車側、引戸側の各係合部材は、たとえば水平に屈曲するフック部材と、フック部材が係脱するハット部材とを組み合わせて使用することができ、フック部材、ハット部材は、吊車側、引戸側のいずれにも相互に使用可能である。ただし、引戸側の係合部材は、開放限の引戸とともに戸袋体を戸枠と平行な閉じ姿勢に閉じると、吊車側の係合部材に対して直角方向に係合し、引戸とともに戸袋体を水平揺動させると、引戸側の係合部材が吊車側の係合部材から分離して係合が解除される。
【００１３】
引戸に搭載する上げ落し金物を介して吊車側、引戸側の係合部材を分離不能にロックすることにより、開放限にない引戸の戸先側が不用意に吊車から切り離されて分離するおそれがない。なお、吊車側、引戸側の係合部材は、引戸を開放限に開き、さらに戸袋体を開き姿勢に水平揺動させるときにのみ、上げ落し金物を操作して分離可能に解放するものとする。ただし、上げ落し金物とは、いわゆるフランス落しをいう。
【００１４】
上げ落し金物に連動する拘束部材は、上げ落し金物を介して吊車側、引戸側の係合部材を分離可能に解放すると同時に引戸を戸袋体内に拘束し、戸袋体の水平揺動中に引戸が戸袋体から不用意に抜け出る事故を有効に防止することができる。
【００１５】
吊車側、引戸側の係合部材は、引戸に搭載するロックユニットの昇降ロッドを介して分離不能にロックすることにより、引戸が開放限以外にあるときに、引戸の戸先側が不用意に吊車から切り離されてしまうおそれがない。ただし、ロックユニットの昇降ロッドは、たとえばばねを介して常時上向きに付勢して吊車側、引戸側の係合部材を分離不能にロックするものとし、引戸を開放限に開き、ラッチユニットを操作してラッチロッドによる戸袋体の拘束を解除すると、ラッチロッドに連動して吊車側、引戸側の係合部材を分離可能に解放するものとする。
【００１６】
引戸に搭載する第１の規制部材は、引戸が開放限にあるときにのみ、ラッチロッドによる戸袋体の拘束の解除動作を許容し、引戸が開放限以外にあるとき、戸袋体の拘束の解除動作を禁止する。すなわち、引戸が開放限にない状態では、戸袋体の拘束が解除されたり、それによって戸袋体が不用意に水平揺動したりするおそれがない。また、引戸は、ラッチロッドによる戸袋体の拘束が解除されると、第１の規制部材を介して戸袋体内に拘束され、閉じ姿勢以外の水平揺動中の戸袋体から不用意に抜け出るおそれがない。さらに、戸袋体に搭載する第２の規制部材は、戸袋体が閉じ姿勢にあるときにのみ、ラッチロッドによる戸袋体の拘束動作を許容し、それ以外のときのラッチユニットの誤操作を阻止する。
【００１７】
引戸の上端戸尻側の規制ローラは、引戸の移動操作に際し、引戸の戸尻側が浮き上がったり、それによって戸車が戸袋体内のレールから外れたりすることを防止する。
【００１８】
上枠に配置するストッパは、引戸を所定の開放限に安全に停止させ、その後の戸袋体の水平揺動操作の安全性、確実性を向上させる。
【図面の簡単な説明】
【００１９】
【図１】全体正面図（１）
【図２】図１のＸ1 −Ｘ1 線矢視相当要部拡大模式図
【図３】要部構成説明図（１）
【図４】要部構成説明図（２）
【図５】全体正面図（２）
【図６】図５のＸ3 −Ｘ3 線矢視相当要部拡大模式図
【図７】要部構成説明図（３）
【図８】要部構成説明図（４）
【図９】要部構成説明図（５）
【図１０】他の実施の形態を示す図１相当図
【図１１】図１０のＷ1 −Ｗ1 線矢視相当要部拡大模式図
【図１２】係合金具の斜視図
【図１３】図１０の要部拡大図（１）
【図１４】規制ユニットの分解斜視図
【図１５】図１０のＷ2 −Ｗ2 線矢視相当要部拡大模式図
【図１６】揺動金具の関連部材分解斜視図
【図１７】図１０の要部拡大図（２）
【図１８】ロックユニットの斜視図
【図１９】図１０の要部構成拡大説明図
【図２０】図１０のＷ3 −Ｗ3 線矢視相当要部拡大模式説明図
【図２１】要部動作説明図（１）
【図２２】要部動作説明図（２）
【図２３】要部動作説明図（３）
【発明を実施するための形態】
【００２０】
以下、図面を以って発明の実施の形態を説明する。
【００２１】
引戸装置は、戸枠１０と、戸袋体２０と、引戸３０とを備えてなる（図１、図２）。ただし、図１、図２において、戸袋体２０は、戸枠１０と平行な閉じ姿勢にあり、引戸３０は、全閉状態にある。
【００２２】
戸枠１０は、上枠１１と、戸尻側の縦枠１２、戸先側の縦枠１３とを門形に組み立てて構成されている。戸枠１０は、床面Ｆ上に立設することにより、図示しない建物の開口部に装着されている。上枠１１、縦枠１２、１３は、それぞれ図示しない建物駆体に連結して固定されている。
【００２３】
戸袋体２０は、表裏のパネル体２１、２２を平行に立て並べ、パネル体２１、２２の間に引戸３０を収納し得る戸袋用のスペースＳを形成している。パネル体２１、２２の戸尻側は、共通の連結板２３を介して連結され、戸先側は、それぞれ端板２１ａ、２２ａを介して閉じられている。また、パネル体２１、２２の上端は、共通の段付きの連結板２４を介して連結され（図３（Ａ）、（Ｃ））、下端は、共通の連結板２５を介して連結されている。ただし、図３（Ａ）は、図１のＸ2 −Ｘ2 線矢視相当要部拡大模式図であり、図３（Ｂ）、（Ｃ）は、それぞれ図１、図３（Ａ）の要部拡大図である。
【００２４】
戸袋体２０は、ヒンジ２６を介して戸尻側の縦枠１２に連結されている（図２）。また、裏のパネル体２２の戸先側の端板２２ａ上には、上下の上げ落し金物２７、２７が装着されている（図２、図３（Ａ））。上下の上げ落し金物２７、２７の昇降ヘッド２７ａ、２７ａは、それぞれ上枠１１、床面Ｆに上向き、下向きに突出させることにより、戸袋体２０を閉じ姿勢に拘束することができる。
【００２５】
引戸３０は、戸袋体２０のパネル体２１、２２と同様の方形のパネル体３１を主要部材として形成されている（図１、図２）。引戸３０の戸先側端面には、断面山形のクッション材３１ａが付設されており、戸尻側端面には、高低のクッション材３１ｂ、３１ｂ、３１ｃ、３１ｃが付設されている。
【００２６】
引戸３０の戸先側は、吊車３２から吊下され、吊車３２は、上枠１１内のガイドレール１４に沿って前後に走行可能である。なお、ガイドレール１４は、取付板１４ｂを介して上枠１１内に設置されている（図１、図３（Ａ））。引戸３０の戸尻側は、戸車３３によって支持され、戸車３３は、戸袋体２０の下端の連結板２５上のレール２５ａ上を前後に走行可能である。さらに、引戸３０の上端戸尻側には、振れ止め用のガイドローラ３４、戸車３３の浮き上り防止用の規制ローラ３５が配設され、下端戸先側には、補助ローラ３６が装着されている。ただし、補助ローラ３６は、戸車３３と同形式の戸車が使用されている。
【００２７】
吊車３２は、ガイドレール１４の上向きのレール部１４ａに係合する前後一対の走行ローラ３２ａ、３２ａを有する（図１、図４）。走行ローラ３２ａ、３２ａは、共通のブラケット３２ｂに組み付けられており、ブラケット３２ｂには、各一対の小径のサブローラ３２ｃ、３２ｃ、３２ｄ、３２ｄが併せて組み付けられている。垂直回転するサブローラ３２ｃ、３２ｃは、ガイドレール１４の下面に接して走行ローラ３２ａ、３２ａを外れ止めし、水平回転する上向きのサブローラ３２ｄ、３２ｄは、ガイドレール１４の下側に並設する下向きのガイド材１４ｃ内を転動して走行ローラ３２ａ、３２ａの左右の振れを規制する。
【００２８】
吊車３２は、ブラケット３２ｂの下端縁中央部を下向きに延長して水平方向に屈曲させるフック部材３２ｅを有する。吊車３２は、フック部材３２ｅと、引戸３０の上端戸先側にねじ止めするハット部材３７とを係合させることにより、引戸３０の戸先側を吊下している。
【００２９】
引戸３０の戸先側には、上げ落し金物３８が上向きに装着されている（図１）。上げ落し金物３８は、昇降ヘッド３８ａを上昇させてフック部材３２ｅ、ハット部材３７を下から上に貫通させることにより（図４（Ａ）、同図（Ｂ）の二点鎖線）、フック部材３２ｅ、ハット部材３７を分離不能にロックすることができ、昇降ヘッド３８ａを下降させてフック部材３２ｅ、ハット部材３７から抜き去ることにより（図４（Ｂ）の実線）、フック部材３２ｅ、ハット部材３７を分離可能に解放することができる。なお、フック部材３２ｅ、ハット部材３７には、それぞれ昇降ヘッド３８ａ用の孔３２ｅ1 、３７ａが開口されている（図４（Ｃ）、（Ｄ））。フック部材３２ｅ、ハット部材３７は、それぞれ引戸３０の戸先側を吊車３２に連結する吊車３２側の係合部材、引戸３０側の係合部材となっている。
【００３０】
引戸３０の上端戸先側には、上げ落し金物３８に連動する拘束部材３９がハット部材３７に隣接して搭載されている（図１、図４（Ａ）、（Ｅ））。拘束部材３９は、引戸３０の上端に固定するヒンジ金具３９ａを介して上下に揺動可能であり、拘束部材３９の一端は、上げ落し金物３８の昇降ヘッド３８ａによって押し上げられ、他端には、上向きのフック３９ｂが形成されている。なお、拘束部材３９は、ヒンジ金具３９ａに内蔵する図示しないばねを介し、フック３９ｂが上昇する方向に付勢されている（図４（Ａ）の矢印方向）。ただし、図４（Ａ）は、図１の要部拡大図であり、図４（Ｂ）、（Ｃ）は、それぞれ図４（Ａ）のＹ1 矢視、Ｙ2 矢視相当模式図であり、図４（Ｄ）、（Ｅ）は、それぞれハット部材３７、拘束部材３９の上面図である。
【００３１】
引戸３０の上端戸尻側のガイドローラ３４、規制ローラ３５は、戸袋体２０の上端の下向きのガイド材２４ａに収納されている（図１、図３（Ｂ）、（Ｃ））。ガイド材２４ａは、戸袋体２０の戸袋用のスペースＳの天面、すなわち連結板２４の下面に固定されている。水平回転するガイドローラ３４は、ガイド材２４ａ内を転動し、垂直回転する規制ローラ３５は、ガイド材２４ａの天面との間に僅かな隙間を介して設置されている。
【００３２】
引戸３０は、戸袋体２０の戸袋用のスペースＳに収納するようにして開放限にまで直線移動させ、戸枠１０の戸先側半部を開放することができる（図５、図６の実線）。引戸３０の開放限において、引戸３０の戸尻側の高いクッション材３１ｂ、３１ｂは、それぞれ戸袋体２０の後端の連結板２３に形成する図示しない開口を貫通して戸尻側の縦枠１２に当接し、低いクッション材３１ｃ、３１ｃは、それぞれ連結板２３に当接する。また、引戸３０は、戸袋体２０から引き出すようにして戸先側に直線移動させ、戸枠１０の戸先側半部を閉じることができる（図１）。
【００３３】
上枠１１内には、引戸３０を開放限に停止させるために、減速用の板ばね１５と、吊車３２に対向するストッパ１６とが固定されており、吊車３２には、板ばね１５に対応する係合ローラ３２ｆが付設されている（図５、図７）。ただし、図７（Ａ）、（Ｂ）は、それぞれ図５の要部拡大図、図７（Ａ）のＺ1 矢視相当要部模式図である。
【００３４】
吊車３２上の係合ローラ３２ｆは、ブラケット３２ｇを介して吊車３２のブラケット３２ｂの戸尻側に装着されている（図７、図８）。ただし、図８（Ａ）、（Ｂ）は、それぞれ図７（Ａ）のＺ2 矢視相当要部模式図、図７（Ａ）の要部模式図である。
【００３５】
板ばね１５は、ブラケット１５ａを介してガイドレール１４用の取付板１４ｂに固定されている。板ばね１５は、戸尻側に向けて水平に支持されており、板ばね１５の先端部は、下向きにＶ字状に屈曲され、引戸３０の開放限の直前において係合ローラ３２ｆの外周に弾発的に係合して吊車３２を適切に制動する。また、板ばね１５は、係合ローラ３２ｆがＶ字状の屈曲部分を通過すると、係合ローラ３２ｆの戸先側にＶ字状の屈曲部分が落ち込んで引戸３０を開放限に軽く拘束する。
【００３６】
ストッパ１６は、板ばね１５と対向するようにしてガイドレール１４上に固定されている。ストッパ１６の戸先側の先端には、クッション材１６ａが付設されている。ストッパ１６は、クッション材１６ａを介して係合ローラ３２ｆ用のブラケット３２ｇに当接して吊車３２を停止させ、引戸３０を開放限に停止させることができる。
【００３７】
引戸３０を開放限に移動させると、引戸３０の戸尻側の戸車３３は、戸袋体２０の下端のレール２５ａ上を転動して戸尻側に移動する（図５）。また、引戸３０の戸先側の補助ローラ３６は、引戸３０の開放限の直前において、戸袋体２０の下端戸先側、すなわちレール２５ａの戸先側先端のブロック体２５ｂの直前に移動する（図９（Ａ）、（Ｂ））。ただし、図９（Ａ）は、図３（Ａ）の要部拡大模式図であり、図９（Ｂ）、（Ｃ）は、それぞれ図５の要部拡大動作図である。
【００３８】
ブロック体２５ｂの上面は、戸先側の急斜面、戸尻側の緩斜面を組み合わせる側面視山形に形成されている。そこで、引戸３０が開放限にまで進行すると、補助ローラ３６は、ブロック体２５ｂに乗り上げて（図９（Ｃ））、引戸３０の戸先側を僅かに上昇させることができる。したがって、このときの引戸３０の上昇量δとすると、引戸３０の戸先側を吊下している吊車３２のフック部材３２ｅに対して引戸３０側のハット部材３７が上昇し、フック部材３２ｅ、ハット部材３７の間に隙間δを形成することができる（図７（Ａ）、（Ｂ））。
【００３９】
その後、引戸３０上の上げ落し金物３８の昇降ヘッド３８ａを下降させてフック部材３２ｅ、ハット部材３７を分離可能に解放し（図７（Ａ）、（Ｂ））、フック部材３２ｅの屈曲方向に引戸３０を水平移動させると（図７（Ｂ）の矢印方向）、引戸３０を吊車３２から円滑に切り離すことができる。なお、上げ落し金物３８の昇降ヘッド３８ａを下降させると、拘束部材３９のフック３９ｂがヒンジ金具３９ａ内のばねを介して上向きに回転駆動され、戸袋体２０の上端の連結板２４、ガイド材２４ａに共通の係合孔２４ｂに進入し（図７（Ａ））、引戸３０を戸袋体２０内に拘束する。なお、連結板２４、ガイド材２４ａには、拘束部材３９のフック３９ｂ用の係合孔２４ｂに加えて、拘束部材３９、ヒンジ金具３９ａに対応する切欠き２４ｃが戸先側に形成されている。
【００４０】
つづいて、戸袋体２０のパネル体２２の上下の上げ落し金物２７、２７を操作して閉じ姿勢の戸袋体２０の拘束を解放し、引戸３０を収納している戸袋体２０を引戸３０とともにヒンジ２６を介して９０°水平揺動させると（図６の矢印Ｋ1 方向）、引戸３０を吊車３２から自動的に切り離して戸袋体２０を開き姿勢にし、戸枠１０を全面開放することができる（図６の二点鎖線）。また、このような開き姿勢の戸袋体２０は、逆方向に９０°水平揺動させて元の閉じ姿勢に復帰させ（図６の矢印Ｋ2 方向、実線）、上げ落し金物２７、２７を介して拘束し、上げ落し金物３８を介してフック部材３２ｅ、ハット部材３７を分離不能にロックするとともに拘束部材３９による引戸３０の拘束を解除すれば、引戸３０を戸袋体２０から引き出して戸枠１０の戸先側半部を開閉することができる。
【００４１】
以上の説明において、戸袋体２０の上下の上げ落し金物２７、２７は、互いに連動させて一挙に操作可能としてもよい。また、引戸３０の補助ローラ３６は、単純な円形ローラとしてもよい。さらに、吊車３２側のフック部材３２ｅ、引戸３０側のハット部材３７は、互いに逆にしてそれぞれ引戸３０側、吊車３２側に設けることもでき、さらに、互いに係合可能な一対のフック部材にすることもできる。すなわち、吊車３２側、引戸３０側の係合部材は、それぞれの機能を実現し得る限り、具体的な形態を任意に変更することができる。
【他の実施の形態】
【００４２】
戸袋体２０は、上下の上げ落し金物２７、２７に代えて、表のパネル体２１の戸先側に埋設して搭載するラッチユニット４１を介して戸枠１０と平行な閉じ姿勢に拘束することができる（図１０）。なお、引戸３０の戸先側上端部には、上げ落し金物３８に代えて、吊車３２側、引戸３０側の係合部材を分離不能にロックするロックユニット４２が埋設して搭載されており、ロックユニット４２は、引戸３０を開放限に開くと、ラッチユニット４１に連動して引戸３０を吊車３２から切離し可能に解放することができる。ただし、図１０において、戸枠１０、戸袋体２０、引戸３０は、上下のピボットヒンジ５１、５２を介して戸袋体２０を戸尻側の縦枠１２に水平揺動可能に連結する他、前実施の形態と基本的に同一に構成されている。
【００４３】
ラッチユニット４１は、パネル体２１の表面に突出するハンドル４１ａをたとえば正逆に９０°回転操作することにより、上下のラッチロッド４１ｂ、４１ｂを同時に対称的に昇降させることができる（図１０、図１１）。すなわち、ラッチユニット４１は、上下のラッチロッド４１ｂ、４１ｂの先端のヘッド４１ｃ、４１ｃをそれぞれ上枠１１、床面Ｆに上向き、下向きに突出させて戸袋体２０を閉じ姿勢に拘束し、ヘッド４１ｃ、４１ｃを上枠１１、床面Ｆから後退させて戸袋体２０を水平揺動可能に解放することができる。なお、下のヘッド４１ｃは、パネル体２１の下端のガイドブッシュ４１ｄを上から下に貫通しており、上のヘッド４１ｃは、パネル体２１の上端のガイドブッシュ４１ｄを下から上に貫通した上、上枠１１の中間部下側に水平に突設する係合金具４３の前端部に係合している（図１１、図１２）。
【００４４】
係合金具４３は、長方形の板材の後端に上向きの取付片４３ａを形成し、前端の左右の下向きの脚片４３ｂ、４３ｂ、前端部の前向きの開口部４３ｃ、開口部４３ｃの後端の上向きの舌片４３ｄを備えている。そこで、上向きのラッチロッド４１ｂのヘッド４１ｃは、開口部４３ｃ内に下から上に進入し、舌片４３ｄに係合して戸袋体２０を閉じ姿勢に拘束する。なお、上枠１１内には、戸袋体２０を閉じ姿勢に停止させる規制板１７が固定されている（図１０、図１１）。規制板１７には、パネル体２１の上方に垂下する旗状のストッパ１７ａが形成されており（図１１、図１３）、ストッパ１７ａは、戸袋体２０の上端の段付きの連結板２４の垂直面に対応する。
【００４５】
上のヘッド４１ｃ用のガイドブッシュ４１ｄは、パネル体２１の戸先側上端にねじ止めする規制ユニット４４用のブラケット４４ｃに装着されている（図１３、図１４）。ブラケット４４ｃ上には、スタッド４４ａを介して揺動部材４４ｂが水平回転自在に搭載されている。ブラケット４４ｃの一端には、捻りばね４４ｄ用の係止溝４４ｃ2 を上端部片側に有する折曲片４４ｃ1 が立設され、中間部片側には、水平の折曲部４４ｅ1 を上端に有する折曲片４４ｅが形成されている。スタッド４４ａ上の揺動部材４４ｂは、止め輪４４ａ1 を介して抜け止めされており、捻りばね４４ｄの一端を係止溝４４ｃ2 に係止させ、他端を揺動部材４４ｂに収納することにより、捻りばね４４ｄを介して折曲片４４ｅに向けて付勢されている。なお、戸袋体２０が閉じ姿勢にあるとき、揺動部材４４ｂは、係合金具４３の一方の脚片４３ｂと干渉し、捻りばね４４ｄに抗して折曲片４４ｅから離れるように内側に水平回転する（図１５）。
【００４６】
戸袋体２０の戸先側上端には、上のラッチロッド４１ｂに連動して上下に揺動する揺動金具４５が装着されている（図１１、図１６）。揺動金具４５は、チャンネル形の２部材を前後に段違いに連結して構成されている。揺動金具４５の後端は、連結ピン４５ｂを介し、戸袋体２０の上端面にねじ止めするブラケット４５ａに対して上下に揺動自在に連結され、前端は、連結ピン４５ｃを介してラッチロッド４１ｂ上のヘッド４１ｃに連結されている。ただし、連結ピン４５ｃは、ヘッド４１ｃを水平に貫通しており、揺動金具４５の後端部、前端部には、それぞれ連結ピン４５ｂ用のブッシュ付きの丸孔４５ｄ、４５ｄ、連結ピン４５ｃ用の長孔４５ｅ、４５ｅが形成されている。また、戸袋体２０の上端の段付きの連結板２４には、引戸３０を収納する戸袋用のスペースＳの上方からパネル体２１側の下端縁にかけて、ブラケット４５ａ、揺動金具４５に対応する切欠きが形成されているものとする。
【００４７】
引戸３０の上端面には、揺動金具４５を下から支承する長尺のＬ形材４６が搭載されている。Ｌ形材４６は、引戸３０の戸先側から戸尻側のガイドローラ３４の直近にまで連続しており（図１０、図１３）、引戸３０を開放限に開いたときにのみ、揺動金具４５を下向きに揺動可能とし、上向きのラッチロッド４１ｂの下降を許容する。すなわち、Ｌ形材４６は、引戸３０が開放限にあるときにのみ、ラッチロッド４１ｂ、４１ｂによる戸袋体２０の拘束の解除動作を許容する第１の規制部材となっている。ただし、Ｌ形材４６は、引戸３０が開放限以外にあるとき、揺動金具４５の下向きの揺動を阻止できればよく、任意の断面形状の棒材、パイプ材などを使用してもよい。
【００４８】
一方、ラッチロッド４１ｂ上のヘッド４１ｃを貫通する連結ピン４５ｃは、規制ユニット４４の揺動部材４４ｂ側に長く突出しており（図１３、図１５）、ラッチロッド４１ｂの昇降に伴って揺動部材４４ｂの上下に変位する。そこで、揺動部材４４ｂは、戸袋体２０が閉じ姿勢となって内側に水平回転しているときにのみ、ラッチロッド４１ｂの上昇を許容する。すなわち、揺動部材４４ｂは、戸袋体２０が閉じ姿勢にあるときにのみ、ラッチロッド４１ｂ、４１ｂによる戸袋体２０の拘束動作を許容する第２の規制部材となっている。なお、揺動部材４４ｂは、このような規制動作ができる限り、図示以外の任意の形態に変更可能である。
【００４９】
引戸３０の戸先側上端部のロックユニット４２は、吊車３２側のフック部材３２ｅ、引戸３０側のハット部材３７に共通に貫通する昇降ロッド４２ａを備えている（図１０、図１７）。昇降ロッド４２ａは、駆動ロッド４２ｂとともに、共通のブラケット４２ｃに対し、互いに平行に、昇降可能に組み付けられている（図１７、図１８）。
【００５０】
昇降ロッド４２ａ、駆動ロッド４２ｂは、連結材４２ｄを介して連結され、連結材４２ｄの駆動ロッド４２ｂ側の一端は、ブラケット４２ｃ上の水平スタッド４２ｅにより上下に回転自在に支持されている。また、駆動ロッド４２ｂは、下側の小径部に装着する圧縮ばね４２ｆを介して上向きに付勢されている。昇降ロッド４２ａ、駆動ロッド４２ｂは、それぞれ連結ピン４２ａ1 、４２ｂ1 を連結材４２ｄの長孔に挿通して連結材４２ｄと相対移動可能に連結されており、昇降ロッド４２ａ側の連結ピン４２ａ1 の一端は、ブラケット４２ｃに形成する上下方向の長孔４２ｃ1 に挿通され、昇降ロッド４２ａの昇降方向を規制している。また、ブラケット４２ｃの上端には、昇降ロッド４２ａを貫通させ、ハット部材３７をねじ止めする補強板４２ｇがねじ止めされている。
【００５１】
昇降ロッド４２ａは、駆動ロッド４２ｂの上端がフリーであるとき、圧縮ばね４２ｆ、駆動ロッド４２ｂ、連結材４２ｄを介して上向きに駆動される。そこで、ロックユニット４２は、昇降ロッド４２ａを介してハット部材３７、フック部材３２ｅを分離不能にロックすることができる。一方、駆動ロッド４２ｂを下向きに押し下げると（図１７の矢印方向）、連結材４２ｄを介して昇降ロッド４２ａが下降してハット部材３７、フック部材３２ｅの下方に抜去され、ハット部材３７、フック部材３２ｅを分離可能に解放する。なお、昇降ロッド４２ａは、つば付きのブッシュ３２ｅ2 を介してフック部材３２ｅを貫通している。
【００５２】
上下のピボットヒンジ５１、５２は、戸袋体２０の裏のパネル体２２の戸尻側の上端、下端に組み付けられている（図１９）。ただし、図１９（Ａ）、（Ｂ）は、それぞれ図１０の要部拡大図、図１９（Ａ）のＷ4 矢視相当図である。
【００５３】
上のピボットヒンジ５１は、戸枠１０側の下向きのヒンジピン５１ａと、戸袋体２０側の受体５１ｂとを組み合わせ、中心吊りに形成されている。ヒンジピン５１ａは、取付板５１ａ1 に固定され、取付板５１ａ1 は、補強板５１ａ2 、大きな支持板５１ａ3 を介して上枠１１内に装着されている。ヒンジピン５１ａ用の受体５１ｂは、調節ねじ５１ｃ1 付きのブラケット５１ｃを介して上向きに支持され、ブラケット５１ｃは、取付板５１ｃ2 、補強板５１ｃ3 を介してパネル体２２に組み付けられている。ヒンジピン５１ａの下半部は、ブッシュ付きの受体５１ｂ内に相対回転自在に挿入されており、受体５１ｂは、調節ねじ５１ｃ1 を介し、パネル体２２の幅方向に位置調節可能である。
【００５４】
下のピボットヒンジ５２は、戸枠１０側のスラストベアリング５２ａ、つば付きのヒンジピン５２ｂと、戸袋体２０側のアーム５２ｃとを組み合わせている。スラストベアリング５２ａは、戸尻側の縦枠１２の下端にねじ止めするＬ形のブラケット５２ａ1 の先端部に上向きに埋め込まれており、ブラケット５２ａ1 の下面は、床面Ｆに埋設する支持材５２ａ2 を介して支持されている。ヒンジピン５２ｂは、下側の軸をスラストベアリング５２ａに挿入して軸心上の止めねじを介して抜止めし、上側の軸をアーム５２ｃの受座に挿入してスラストベアリング５２ａ上に着座させ、戸袋体２０、引戸３０の全重量をスラストベアリング５２ａに伝達している。なお、アーム５２ｃは、補強材５２ｃ1 を介してパネル体２２に組み付けられている。
【００５５】
戸袋体２０は、開放限の引戸３０とともに、上下のピボットヒンジ５１、５２のヒンジピン５１ａ、５２ｂを回転中心として、戸枠１０と平行な閉じ姿勢（図２０の実線）と、戸枠１０に直角の開き姿勢（図２０の二点鎖線）との間に水平揺動させることができる。ただし、図２０には、上のピボットヒンジ５１のヒンジピン５１ａのみが図示されている。なお、戸袋体２０の戸尻側には、連結板２３、補助連結板２３ａを介し、閉じ姿勢の戸袋体２０の戸尻側と縦枠１２との間を閉じる表裏のシール材２８、２８が上下方向に装着されている。
【００５６】
戸袋体２０に搭載するラッチユニット４１と、引戸３０に搭載するロックユニット４２との連動動作の概要は、次のとおりである。
【００５７】
閉じ姿勢に拘束されている戸袋体２０から引戸３０が閉鎖方向に引き出されているとき、引戸３０側のハット部材３７、吊車３２側のフック部材３２ｅは、ロックユニット４２の昇降ロッド４２ａを介して分離不能にロックされている（図１７、図２１（Ａ））。また、このとき、戸袋体２０側の揺動金具４５は、引戸３０側のＬ形材４６と干渉して下向きに揺動不能であり、揺動金具４５に連結するヘッド４１ｃ、ラッチロッド４１ｂは、戸袋体２０の拘束の解除動作が阻止されている。
【００５８】
引戸３０を開放限に開くと（図２１（Ｂ））、ロックユニット４２の駆動ロッド４２ｂは、揺動金具４５の直下に移動し、揺動金具４５は、引戸３０側のＬ形材４６の戸先側の先端を外れ、下向きに揺動可能となる。また、引戸３０の戸先側は、下端の補助ローラ３６が戸袋体２０側の下端戸先側のブロック体２５ｂに乗り上げて上昇し、ハット部材３７、フック部材３２ｅの間に隙間が形成される。
【００５９】
そこで、ラッチユニット４１を操作してラッチロッド４１ｂ、４１ｂによる戸袋体２０の拘束を解除すると、上向きのラッチロッド４１ｂのヘッド４１ｃが下降し（図２２（Ａ）、（Ｂ））、下向きに揺動する揺動金具４５によりロックユニット４２の駆動ロッド４２ｂが押し下げられ、連結材４２ｄを介して昇降ロッド４２ａが下降し、ハット部材３７、フック部材３２ｅが分離可能に解放される。なお、このとき、揺動金具４５とヘッド４１ｃとを連結する連結ピン４５ｃは、内側に水平回転中の揺動部材４４ｂより低い位置に移動する。また、引戸３０は、Ｌ形材４６の戸先側を揺動金具４５が斜め下向きに横切るため、戸袋体２０から引出不能となり、戸袋体２０内に拘束される。
【００６０】
つづいて、戸袋体２０を引戸３０とともに開き姿勢に向けて水平揺動させると（図２３（Ａ）、（Ｂ））、ハット部材３７がフック部材３２ｅから円滑に分離するとともに、戸袋体２０の水平揺動に伴って揺動部材４４ｂが係合金具４３の脚片４３ｂから離れて折曲片４４ｅに当接するまで水平回転し、連結ピン４５ｃの上方に位置してラッチロッド４１ｂ、ヘッド４１ｃの上昇を阻止し、ラッチユニット４１の誤操作を防止する。なお、図２３（Ｂ）には、揺動金具４５が引戸３０側のＬ形材４６の戸先側を斜め下向きに横切り、引戸３０を戸袋体２０内に拘束している点が明示されている。
【００６１】
戸袋体２０は、引戸３０とともに、そのまま水平揺動させて開き姿勢に開くことができる（図２０の二点鎖線）。また、戸袋体２０は、開き姿勢から閉じ姿勢に閉じた上、ラッチユニット４１を操作してラッチロッド４１ｂ、４１ｂを介して閉じ姿勢に拘束することにより、ロックユニット４２を介してハット部材３７、フック部材３２ｅを分離不能にロックして引戸３０を戸袋体２０から閉鎖方向に引き出すことができ、この間の各部の作動は、図２３（Ａ）、（Ｂ）から図２２（Ａ）、（Ｂ）、図２１（Ｂ）を経て図２１（Ａ）に移行するとおりである。ただし、図２１〜図２３において、戸袋体２０、引戸３０の一部の構成部材は、透視化して図示することにより、各部の作動の理解の便宜を図っている。
【００６２】
以上の説明において、引戸３０は、たとえばうず巻ばねを使用する駆動ユニットを介して吊車３２を戸先側に駆動して自動閉鎖形に構成してもよく、自動閉鎖時の移動速度を緩和するために、適切な制動ユニットを上枠１１の戸先側に設置してもよい。また、引戸３０は、全閉状態で施錠可能としてもよい。なお、戸袋体２０には、水平揺動限を制限して開き姿勢を適切に規制するために、戸枠１０との間に規制部材を付設してもよく、開き姿勢の戸袋体２０を閉じ姿勢側に付勢するドアクローザを組み合わせてもよい。また、規制部材の機能をドアクローザ内に一体に組み込むことも可能である。
【産業上の利用可能性】
【００６３】
この発明は、外付けの戸袋を設けることなく、必要に応じて全面開放を要請される任意の建物の開口部に対し、広く好適に適用することができる。
【符号の説明】
【００６４】
１０…戸枠
１１…上枠
１２…縦枠
１４…ガイドレール
１６…ストッパ
２０…戸袋体
２５ａ…レール
２５ｂ…ブロック体
３０…引戸
３２…吊車
３３…戸車
３４…ガイドローラ
３５…規制ローラ
３６…補助ローラ
３８…上げ落し金物
３９…拘束部材
４１…ラッチユニット
４１ｂ…ラッチロッド
４２…ロックユニット
４２ａ…昇降ロッド
特許出願人      小松ウオール工業株式会社
【図１】
2014031701.tif 000003
【図２】
2014031701.tif 000004
【図３】
2014031701.tif 000005
【図４】
2014031701.tif 000006
【図５】
2014031701.tif 000007
【図６】
2014031701.tif 000008
【図７】
2014031701.tif 000009
【図８】
2014031701.tif 000010
【図９】
2014031701.tif 000011
【図１０】
2014031701.tif 000012
【図１１】
2014031701.tif 000013
【図１２】
2014031701.tif 000014
【図１３】
2014031701.tif 000015
【図１４】
2014031701.tif 000016
【図１５】
2014031701.tif 000017
【図１６】
2014031701.tif 000018
【図１７】
2014031701.tif 000019
【図１８】
2014031701.tif 000020
【図１９】
2014031701.tif 000021
【図２０】
2014031701.tif 000022
【図２１】
2014031701.tif 000023
【図２２】
2014031701.tif 000024
【図２３】
2014031701.tif 000025